(57)【特許請求の範囲】
【請求項１】
基体と表装体との２体構成で、基体は、建物の土台と外装板との間に取付けられる板状の取付部と、この取付部の下側において前方に突出するようにして設けられた結合部とを備え、表装体は、雨水案内用傾斜板を有する結合部と、前垂れ部とを備え、基体の結合部と表装体の結合部とは、表装体を取替え可能として互いに結合されるようになっている建物用水切り材であって、基体は、結合部の下方において通気孔が形成されるとともに、下端に、取付部の直下から前方へ屈曲させて形成された突出部を有することを特徴とする建物用水切り材。
【請求項２】
基体と表装体と防鼠板との３体構成で、基体は、建物の土台と外装板との間に取付けられる板状の取付部と、この取付部の下端に設けられた結合部とを備え、表装体は、雨水案内用傾斜板を有する結合部と、前垂れ部とを備え、防鼠板には鼠が通過できない大きさの通気孔が多数形成され、基体の結合部と表装体の結合部及び防鼠板の上端とは、表装体を取替え可能とするとともに、防鼠板を着脱自在に互いに結合され、防鼠板の下端には、取付部の直下から前方へ屈曲させて突出部が形成されていることを特徴とする建物用水切り材。
【請求項３】
布基礎と土台との間に基礎パッキンが設けられて、床下換気用の通気間隙が形成され、土台の前面を覆うように外装板が設けられた建物に取付ける、水切り材の取付構造であって、水切り材は、基体と表装体との２体構成で、基体は、板状の取付部と、この取付部の下側において前方へ突出するようにして設けられた結合部と、この結合部の下側に形成された通気孔と、下端に、取付部の直下から前方へ屈曲させて形成された突出部とを備えており、また、表装体は、結合部と、この結合部の前端に連設された前垂れ部とを備え、基体の結合部と、表装体の結合部とが、外装板の下端よりも下位位置で、表装体を取替え可能として前方から結合されており、また、基体が、その通気孔を基礎パッキンの前方に位置させるとともに、下端の屈曲された突出部を布基礎の前面上部に位置するように、取付部が土台と外装板との間に取付けられている、水切り材の取付け構造。
【発明の詳細な説明】
【技術分野】
【０００１】
この発明は、建物の外装板の下端などに取付ける水切り材、及びその取付構造に関する。
【背景技術】
【０００２】
外装板の壁面を伝って流れてきた雨水を、外方に導いて落下させる為の水切り材は、従来から種々の形状のものが提案実施されている。一般的な形状は、取付部と、雨水案内用の傾斜部と、前垂れ部とが連設された形である。また、ジャバラ状の伸縮部を設けて、傾斜部の位置を自由に変えうるようにした水切り材も提案されている。（特許文献１参照）
【０００３】
【特許文献１】特開平６−５６２２２号公報
【発明の開示】
【発明が解決しようとする課題】
【０００４】
ところが、前記従来のものは、部材が一体で、施工中に水切り材の表面などに傷が付いた時には対応性がないという欠点がある。
【０００５】
本発明は、このような点に鑑み、外面などに傷が付いたような時には、表装体のみを取替え可能な水切り材、及びその取付構造を提供するにある。
【課題を解決するための手段】
【０００６】
本発明の水切り材の技術的手段は、基体と表装体との２体構成で、基体は、建物の土台と外装板との間に取付けられる板状の取付部と、この取付部の下側において前方に突出するようにして設けられた結合部とを備え、表装体は、雨水案内用傾斜板を有する結合部と、前垂れ部とを備え、基体の結合部と表装体の結合部とは、表装体を取替え可能として互いに結合されるようになっている建物用水切り材であって、基体は、結合部の下方において通気孔が形成されるとともに、下端に、取付部の直下から前方へ屈曲させて形成された突出部を有することにある。
【０００７】
また、基体と表装体と防鼠板との３体構成で、基体は、建物の土台と外装板との間に取付けられる板状の取付部と、この取付部の下端に設けられた結合部とを備え、表装体は、雨水案内用傾斜板を有する結合部と、前垂れ部とを備え、防鼠板には鼠が通過できない大きさの通気孔が多数形成され、基体の結合部と表装体の結合部及び防鼠板の上端とは、表装体を取替え可能とするとともに、防鼠板を着脱自在に互いに結合され、防鼠板の下端には、取付部の直下から前方へ屈曲させて突出部が形成されているようにしてもよい。
【０００８】
本発明の水切り材の取付構造の技術的手段は、布基礎と土台との間に基礎パッキンが設けられて、床下換気用の通気間隙が形成され、土台の前面を覆うように外装板が設けられた建物に取付ける、水切り材の取付構造であって、水切り材は、基体と表装体との２体構成で、基体は、板状の取付部と、この取付部の下側において前方へ突出するようにして設けられた結合部と、この結合部の下側に形成された通気孔と、下端に、取付部の直下から前方へ屈曲させて形成された突出部とを備えており、また、表装体は、結合部と、この結合部の前端に連設された前垂れ部とを備え、基体の結合部と、表装体の結合部とが、外装板の下端よりも下位位置で、表装体を取替え可能として前方から結合されており、また、基体が、その通気孔を基礎パッキンの前方に位置させるとともに、下端の屈曲された突出部を布基礎の前面上部に位置するように、取付部が土台と外装板との間に取付けられていることにある。
【発明の効果】
【０００９】
本発明の水切り材は、基体と表装体との２体構成であるから、基体のみを先に取付けておき、表装体は工事の最終段階で取付けることができ、工事中に表装体が傷付くのを防止でき、また、表装体が損傷した場合には、簡単に取替えできる。また、通気孔を設けたので、床下への換気を確保できる。更に、防鼠板を設けたものでは、床下への鼠の侵入を防止できる。
【００１０】
本発明の水切り材の取付構造は、布基礎と土台との間に基礎パッキンが設けられて、基礎パッキンの無い所が床下換気用の通気間隙となるような建物に取付けることができ、表装体が工事中に傷付くのを防止でき、また、表装体が損傷した場合には、簡単に取替えできる。
【発明を実施するための最良の形態】
【００１１】
本発明の水切り材の実施の形態を、図面の実施例に基づいて説明する。図１には、第１実施例の水切り材１０の取付使用状態が示されている。１は布基礎、２は土台、３は基礎パッキンである。基礎パッキン３は、布基礎１と土台２との間の適所に設けられ、基礎パッキン３の無い所が床下換気用の通気間隙４となる。５は外装板で、その下端に水切り材１０が取付けられる。
【００１２】
本発明の水切り材１０は、図２に示されるように、基体１１と表装体１２との２体構成であり、通常は合成樹脂で作られる。基体１１は、建物の土台２に釘止めなどによって固定される取付部１３と、この下端に連設された結合部１４とからなる。この実施例では、結合部１４は挟み付けて支持できるように、２枚の支持板１５，１６で構成され、かつ、支持板の表面には抜け止めの為に凹凸などの係止爪１７，１８が複数個、適当な間隔で設けられている。
【００１３】
表装体１２は、結合部２０と、その前端に連設された前垂れ部２１とからなる。この実施例では、結合部２０は２枚板構成で、その上面の板は、結合時に最上面に位置するようになり、雨水案内用傾斜板２２となる。この傾斜板２２の先端には係止爪２３が設けられていて、この爪２３は前記係止爪１７と選択的に係合する。この実施例では、結合部２０の下面の板は支持板２４で、基体の結合部１４の２枚の支持板１５、１６の間に嵌まり込む。支持板２４には係止爪２５が設けられていて、この爪２５は基体の方の係止爪１８と選択的に係合する。
【００１４】
また、基体１１の結合部１４の支持板１６には防鼠板３２が一体に形成されている。この防鼠板３２には鼠が通過できない大きさの通気孔３３が多数形成されている。これにより、床下への換気を確保でき、かつ、床下への鼠の侵入を防止できる。また、防鼠板３２の下端には、取付部１３の直下から前方に屈曲させて突出部３４が形成されている。
【００１５】
従って、本発明の水切り材は、先ず、基体１１のみを土台２に取付け、表装体１２は建築工事の最終段階で取付けるようにする。これにより、工事中に表装体１２が傷付くのを防止できる。表装体１２の取付位置は替えることができ、図示例では３段階に調節可能で、外装板５の位置に合わせて、係止爪の結合位置を変えて、表装体１２の張り出し状態を調節できる。
【００１６】
図３の第２実施例は、防鼠板３２を抜差し形式で着脱自在にしたものであり、製造や、施工の際に便利である。
【００１７】
本発明は、前記の実施例に限定されるものではなく、特許請求の範囲の記載の範囲内で自由に変形実施可能である。特に、結合部の構造や、係止爪の形状は自由である。
【図面の簡単な説明】
【００１８】
【図１】第１実施例の使用状態の断面図。
【図２】分離状態の断面図。
【図３】第２実施例の使用状態の断面図。
【符号の説明】
【００１９】
１０          水切り材
１１          基体
１２          表装体
１３          取付部
１４          結合部
１５、１６    支持板
１７，１８    係止爪
２０          結合部
２１          前垂れ部
２２          雨水案内用傾斜板
２３，２５    係止爪
２４          支持板
３２ 防鼠板
３３ 通気孔
３４ 突出部
【図１】
0003845432.tif 000002
【図２】
0003845432.tif 000003
【図３】
0003845432.tif 000004